(57)【要約】【課題】本発明は、カセットの交換時期の間隔を長く設定し、且つ、現金の不整合を管理することのできる現金管理サーバ、現金管理サーバの現金管理方法、現金自動預払装置及び現金自動預払装置の現金管理方法を提供することを目的とする。【解決手段】現金自動預払装置が有する複数のカセットに収納された現金を管理する現金管理サーバ４であって、カセット交換に伴って現金自動預払装置２から取り外されるカセット毎の現金額と、カセット交換に伴って現金自動預払装置２から取り外されるカセット内の現金をカセット毎に計数した計数額と、現金自動預払装置の入出金情報から算出される現金自動預払装置内の算出額を現金理論額として記憶する記憶部４１と、カセット交換に伴って現金自動預払装置に取り付けられる複数のカセットにおける現金額の総額と計数額の総額とを算出し、算出した現金額の総額と、算出した計数額の総額と、現金理論額とを照合する制御部４２と、を有する。【選択図】図５
2012048678.tif 000002
【特許請求の範囲】
【請求項１】
現金自動預払装置が有する複数のカセットに収納される現金を管理する現金管理サーバであって、
カセット交換に伴って前記現金自動預払装置から取り外されるカセット毎の現金額と、前記カセット交換に伴って前記現金自動預払装置から取り外されるカセット内の現金をカセット毎に計数した計数額と、前記現金自動預払装置の入出金情報から算出される現金自動預払装置内の算出額を現金理論額として記憶する記憶部と、
前記カセット交換に伴って前記現金自動預払装置に取り付けられた複数のカセットにおける前記現金額の総額と前記計数額の総額とを算出し、前記算出した現金額の総額と、前記算出した計数額の総額と、前記現金理論額とを照合する制御部と、
を有する現金管理サーバ。
【請求項２】
前記現金自動預払装置は、複数設けられ、
前記記憶部は、回収対象のカセットを有する所定の現金自動預払装置と、前記所定の現金自動預払装置から回収されたカセットを利用して現金取引を行う他の前記現金自動預払装置と、を対応付ける対応情報を記憶し、
前記制御部は、前記対応情報に基づいて、対応付けられた現金自動預払装置毎の前記現金額の総額と、前記計数額の総額と、前記対応付けられた複数の現金自動預払装置の現金理論合計額とを算出し、
前記算出した現金額の総額に基づいて、対応付けられた複数の現金自動預払装置の現金合計額を算出し、
前記算出した計数額の総額に基づいて、前記対応付けられた複数の現金自動預払装置の計数合計額を算出し、
前記算出した現金合計額と、前記算出した計数合計額と、前記算出した現金理論合計額とを照合する、請求項１記載の現金管理サーバ。
【請求項３】
前記記憶部は、前記カセット内の現金違算を検出するイベント毎にイベント情報を記憶し、前記制御部は、前記照合が不一致であると判断した場合に、前記イベント情報に基づいて、不一致の理由を示す不一致情報を抽出する、請求項１又は２記載の現金管理サーバ。
【請求項４】
前記現金自動預払装置は、前記現金管理サーバと通信可能に接続されており、
前記制御部は、前記現金自動預払装置が、該装置に設けられた挿入口を介して通過する現金を計数し、該計数した現金に基づいて算出した現金額と、前記カセットに設けられた挿入口を介して通過する現金を計数し、該計数した現金に基づいて算出された現金額と、を、前記現金自動預払装置から受信し、受信したそれぞれの現金額を照合する、請求項１乃至３いずれか一項に記載の現金管理サーバ。
【請求項５】
現金自動預払装置が有する複数のカセットに収納される現金を管理する現金管理サーバの現金管理方法であって、
前記現金管理サーバは、
カセット交換に伴って前記現金自動預払装置から取り外されるカセット毎の現金額と、前記カセット交換に伴って前記現金自動預払装置から取り外されるカセット内の現金をカセット毎に計数した計数額と、前記現金自動預払装置の入出金情報から算出される前記現金自動預払装置内の算出額を現金理論額として記憶するステップと、
前記カセット交換に伴って前記現金自動預払装置に取り付けられた複数のカセットにおける前記現金額の総額と前記計数額の総額とを算出し、前記算出した現金額の総額と、前記算出した計数額の総額と、前記現金理論額とを照合するステップと、
を実行する現金管理サーバの現金管理方法。
【請求項６】
前記現金管理サーバは、複数設けられる現金自動預払装置のうち、回収対象のカセットを有する所定の現金自動預払装置と、前記所定の現金自動預払装置から回収されたカセットを利用して現金取引を行う他の前記現金自動預払装置と、を対応付ける対応情報を記憶するステップと、
前記対応情報に基づいて、対応付けられた現金自動預払装置毎の前記現金額の総額と、前記計数額の総額と、前記対応付けられた複数の現金自動預払装置の現金理論合計額とを算出するステップと、
前記算出した現金額の総額に基づいて、対応付けられた複数の現金自動預払装置の現金合計額を算出するステップと、
前記算出した計数額の総額に基づいて、前記対応付けられた複数の現金自動預払装置の計数合計額を算出するステップと、
前記算出した現金合計額と、前記算出した計数合計額と、前記算出した現金理論合計額とを照合するステップと、を実行する請求項５記載の現金管理サーバの現金管理方法。
【請求項７】
前記現金管理サーバは、前記カセット内の現金違算を検出するイベント毎にイベント情報を記憶するステップと、前記照合が不一致であると判断した場合に、前記イベント情報に基づいて、不一致の理由を示す不一致情報を抽出するステップと、を実行する請求項５又は６記載の現金管理サーバの現金管理方法。
【請求項８】
前記現金管理サーバは、前記現金自動預払装置が、該装置に設けられた挿入口を介して通過する現金を計数し、該計数した現金に基づいて算出した現金額と、前記カセットに設けられた挿入口を介して通過する現金を計数し、該計数した現金に基づいて算出した現金額とを、前記現金管理サーバと通信可能に接続されている前記現金自動預払装置から受信するステップと、受信したそれぞれの現金額を照合するステップと、を実行する請求項５乃至７いずれか一項に記載の現金管理サーバの現金管理方法。
【請求項９】
現金が収納されるカセットを複数有し、且つ、前記現金を管理する現金管理サーバと通信可能に接続される現金自動預払装置であって、
前記カセット内の現金量を調整するＡＴＭ制御部を備え、
前記ＡＴＭ制御部は、
外部から指定される、移動対象の現金が収納されている移動元カセットと、前記移動元カセットから移動される現金を収納する移動先カセットとの情報に基づき、前記移動元カセットに収納されている現金を、前記移動先カセットに移動し、
カセット交換に伴って前記現金自動預払装置から取り外される前記移動元カセット及び／又は前記移動先カセットの現金額を前記現金管理サーバに送信する、
現金自動預払装置。
【請求項１０】
現金が収納されるカセットを複数有し、且つ、前記現金を管理する現金管理サーバと通信可能に接続される現金自動預払装置の現金管理方法であって、
前記現金自動預払装置は、
外部から指定される、移動対象の現金が収納されている移動元カセットと、前記移動元カセットから移動される現金を収納する移動先カセットとの情報を受け付けるステップと、
前記受け付けた情報に基づいて、前記移動元のカセットに収納されている現金を、前記移動先カセットに移動するステップと、
カセット交換に伴って前記現金自動預払装置から取り外される前記移動元カセット及び／又は前記移動先カセットの現金額を前記現金管理サーバに送信するステップと、
を実行する現金自動預払装置の現金管理方法。
【発明の詳細な説明】
【技術分野】
【０００１】
本発明は、現金管理サーバ、現金管理サーバの現金管理方法、現金自動預払装置及び現金自動預払装置の現金管理方法に関し、特に、現金自動預払装置（ＡＴＭ：Automatic teller machine）に収納されている現金カセットを管理する技術に関する。
【背景技術】
【０００２】
近年、簡便性の観点から、現金自動預払装置が普及している。現金自動預払装置には、現金（紙幣及び／又は硬貨）の種類毎に収納可能な現金カセット（以下、カセットという。）が内部に複数備えられている。現金自動預払装置を管理する管理者が、定期的にカセットの交換を行うことで、現金自動預払装置内に収納する現金総額を調整している。カセットの交換を行う際、管理者は、現金自動預払装置の記憶部から、交換する直前の現金総額を読み出し、該現金総額をレシートに印刷し、回収したカセットと一緒に持ち帰る。
【０００３】
管理センタに運ばれたカセットの現金総額は、現金計算機で計数され、管理センタのコンピュータによって、この現金計数額と、レシートに印刷された現金総額とが照合される。そして、この照合結果を、管理者が金融機関に報告している。
【０００４】
例えば、特許文献１には、カセット交換の時期よりも早い時期に、実際の現金の入出金を示す増減値と、ＡＴＭで管理する現金の入出金を示す増減理論値とを照合し、不一致の照合結果を現金不整合情報として生成するＡＴＭ現金不整合管理システムが開示されている。特許文献１によれば、生成した現金不整合情報を利用することで、カセット交換時期よりも早い早期に照合結果が不一致だった場合の原因を発見している。
【先行技術文献】
【特許文献】
【０００５】
【特許文献１】特開２００１−３５７４３５号公報
【発明の概要】
【発明が解決しようとする課題】
【０００６】
特許文献１によれば、現金の不整合を発見できる回数は増えるものの、違算の回避や管理のし易さの観点から、現金自動預払装置が有する全てのカセットを交換しなければならない。このため、カセット交換に際して、管理者は、現金を装填した新しいカセットを予め多く用意する必要がある。このように、カセットの交換個数が多ければ多いほど、交換時に要する現金を予め金融機関で多めに保有していなければならず、カセットの交換に伴う諸費用（運搬費、人件費、維持費等の費用）が嵩んでしまっていた。
【０００７】
また、カセットの交換を行う間隔は、最長でも数ヶ月と短く、管理者は頻繁にカセット交換を行わなければならなかった。
【０００８】
そこで、本発明は、かかる事情に鑑みてなされたものであり、カセットの交換時期の間隔を長く設定し、且つ、現金の不整合を管理することのできる現金管理サーバ、現金管理サーバの現金管理方法、現金自動預払装置及び、現金自動預払装置の現金管理方法を提供することを目的とする。
【課題を解決するための手段】
【０００９】
上記課題を解決するために、本発明において、現金管理サーバの一態様は、現金自動預払装置が有する複数のカセットに収納される現金を管理する現金管理サーバであって、カセット交換に伴って現金自動預払装置から取り外されるカセット毎の現金額と、カセット交換に伴って現金自動預払装置から取り外されるカセット内の現金をカセット毎に計数した計数額と、現金自動預払装置の入出金情報から算出される現金自動預払装置内の算出額を現金理論額として記憶する記憶部と、カセット交換に伴って現金自動預払装置に取り付けられる複数のカセットにおける現金額の総額と計数額の総額とを算出し、算出した現金額の総額と、算出した計数額の総額と、現金理論額とを照合する制御部と、を有する。
【００１０】
また、現金自動預払装置は、複数設けられ、記憶部は、回収対象のカセットを有する所定の現金自動預払装置と、所定の現金自動預払装置から回収されたカセットを利用して現金取引を行う他の現金自動預払装置と、を対応付ける対応情報を記憶し、制御部は、対応情報に基づいて、対応付けられた現金自動預払装置毎の現金額の総額と、計数額の総額と、対応付けられた複数の現金自動預払装置の現金理論合計額とを算出し、算出した現金額の総額に基づいて、対応付けられた複数の現金自動預払装置の現金合計額を算出し、算出した計数額の総額に基づいて、対応付けられた複数の現金自動預払装置の計数合計額を算出し、算出した現金合計額と、算出した計数合計額と、算出した現金理論合計額とを照合する。
【００１１】
また、記憶部は、カセット内の現金違算を検出するイベント毎にイベント情報を記憶し、制御部は、照合が不一致であると判断した場合に、イベント情報に基づいて、不一致の理由を示す不一致情報を抽出する。
【００１２】
さらに、現金自動預払装置は、現金管理サーバと通信可能に接続されており、制御部は、現金自動預払装置が、該装置に設けられた挿入口を介して通過する現金を計数し、該計数した現金に基づいて算出した現金額と、カセットに設けられた挿入口を介して通過する現金を計数し、該計数した現金に基づいて算出された現金額とを、現金自動預払装置から受信し、受信したそれぞれの現金額を照合することが好ましい。
【００１３】
また、本発明において、現金管理サーバにおける現金管理方法の一態様は、現金自動預払装置が有する複数のカセットに収納される現金を管理する現金管理サーバの現金管理方法であって、サーバは、カセット交換に伴って現金自動預払装置から取り外されるカセット毎の現金額と、カセット交換に伴って現金自動預払装置から取り外されるカセット内の現金をカセット毎に計数した計数額と、現金自動預払装置の入出金情報から算出される現金自動預払装置内の算出額を現金理論額として記憶するステップと、カセット交換に伴って現金自動預払装置に取り付けられる複数のカセットにおける現金額の総額と計数額の総額とを算出し、算出した現金額の総額と、算出した計数額の総額と、現金理論額とを照合するステップと、を実行する。
【００１４】
また、現金管理サーバは、複数設けられる現金自動預払装置のうち、回収予定のカセットを有する所定の現金自動預払装置と、所定の現金自動預払装置から回収されたカセットを利用して現金取引を行う他の現金自動預払装置と、を対応付ける対応情報を記憶するステップと、対応情報に基づいて、対応付けられた現金自動預払装置毎の現金額の総額と、計数額の総額と、対応付けられた複数の現金自動預払装置の現金理論合計額とを算出するステップと、算出した現金額の総額に基づいて、対応付けられた複数の現金自動預払装置の現金合計額を算出するステップと、算出した計数額の総額に基づいて、対応付けられた複数の現金自動預払装置の計数合計額を算出するステップと、算出した現金合計額と、算出した計数合計額と、算出した現金理論合計額とを照合するステップと、を実行する。
【００１５】
さらに、現金管理サーバは、カセット内の現金違算を検出するイベント毎にイベント情報を記憶するステップと、照合が不一致であると判断した場合に、イベント情報に基づいて、不一致の理由を示す不一致情報を抽出するステップと、を実行することが好ましい。
【００１６】
また、現金管理サーバは、現金自動預払装置が、該装置に設けられた挿入口を介して通過する現金を計数し、該計数した現金に基づいて算出した現金額と、前記カセットに設けられた挿入口を介して通過する現金を計数し、該計数した現金に基づいて算出した現金額とを、現金管理サーバと通信可能に接続されている現金自動預払装置から受信するステップと、受信したそれぞれの現金額を照合するステップと、を実行する。
【００１７】
本発明において、現金自動預払装置の一態様は、現金が収納されるカセットを複数有し、且つ、現金を管理する現金管理サーバと通信可能に接続される現金自動預払装置であって、カセット内の現金量を調整するＡＴＭ制御部を備え、ＡＴＭ制御部は、外部から指定される、移動対象の現金が収納されている移動元カセットと、移動元カセットから移動される現金を収納する移動先カセットとの情報に基づき、移動元カセットに収納されている現金を、移動先カセットに移動し、カセット交換に伴って現金自動預払装置から取り外される移動元カセット及び／又は移動先カセットの現金額を現金管理サーバに送信する。
【００１８】
また、現金自動預払装置における現金管理方法の一態様は、現金が収納されるカセットを複数有し、且つ、現金を管理する現金管理サーバと通信可能に接続される現金自動預払装置の現金管理方法であって、現金自動預払装置は、外部から指定される、移動対象の現金が収納されている移動元カセットと、移動元カセットから移動される現金を収納する移動先カセットとの情報を受け付けるステップと、受け付けた情報に基づいて、移動元のカセットに収納されている現金を、移動先カセットに移動するステップと、カセット交換に伴って現金自動預払装置から取り外される移動元カセット及び／又は移動先カセットの現金額を現金管理サーバに送信するステップと、を実行する。
【発明の効果】
【００１９】
本発明によれば、個別のカセット交換を可能にした。個別のカセット交換に伴い、現金管理サーバが、個別に回収されたカセット内の現金額に関するデータを管理することで、カセット内の現金額の不整合を回避できるとともに、各カセットに収納されている現金量を個別に調整することができる。これにより、全てのカセットを交換する時期の間隔を従来に比して長く設定することができる。
【００２０】
また、本発明によれば、現金管理サーバは、カセット交換が行われる度に、カセット内の現金額に関するデータを管理するだけでなく、全てのカセットを交換した際に該データを利用して、カセット内の現金額を照合するので、カセットの現金額の不整合が生じた場合であっても、不整合の原因を早期に検出することができる。
【図面の簡単な説明】
【００２１】
【図１】本発明による現金管理システムの構成を示すブロック図である。
【図２】現金自動預払装置の外観斜視図である。
【図３】現金自動預払装置の内部構成を示すブロック図である。
【図４】カウンタテーブルの一例を示す表である。
【図５】現金管理サーバの内部構成を示すブロック図である。
【図６Ａ】照合テーブルを構成するＡデータテーブルの一例を示す表である。
【図６Ｂ】照合テーブルを構成するＢデータテーブルの一例を示す表である。
【図６Ｃ】照合テーブルを構成するＣデータテーブルの一例を示す表である。
【図７】調査テーブルの一例を示す表である。
【図８】所定のカセットを交換する際の、現金管理システムが実行するシーケンスの一例である。
【図９】所定のカセットを交換する際の、現金管理システムが実行するシーケンスの一例である。
【図１０】管理画面の一例を示す模式図である。
【図１１】管理画面の一例を示す模式図である。
【図１２】管理画面の一例を示す模式図である。
【図１３】管理画面の一例を示す模式図である。
【図１４】レシート形式でステータス情報が出力された場合のイメージ図である。
【図１５】全てのカセットを交換する際の、現金管理システムが実行するシーケンスの一例である。
【図１６】照合の一例を示すイメージ図である。
【図１７】全てのカセットを交換する際の、現金管理システムが実行するシーケンスの一例である。
【図１８】第２実施形態において、現金自動預払装置の利用関係を示す模式図である。
【図１９】利用テーブルの一例を示す表である。
【図２０】第２実施形態において、所定のカセットを交換する際の、現金管理システムが実行するシーケンスの一例である。
【図２１】第２実施形態において、所定のカセットを交換する際の、現金管理システムが実行するシーケンスの一例である。
【図２２】第２実施形態において、レシート形式でステータス情報が出力された場合のイメージ図である。
【図２３】第２実施形態における照合の一例を示すイメージ図である。
【発明を実施するための形態】
【００２２】
以下、本発明の実施の形態について、図面を参照して説明する。なお、図面中、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明をその実施の形態のみに限定する趣旨ではない。さらに、本発明は、その要旨を逸脱しない限り、さまざまな変形が可能である。
【００２３】
１．第１実施形態
（１）現金管理システムの構成
図１は、本発明の一実施形態に係る現金管理システムの概略を示すブロック図である。同図に示すように、現金管理システム１は、複数の現金自動預払装置（ＡＴＭ）２、計数管理センタサーバ３、及び現金管理センタサーバ４が、通信ネットワーク５を介して通信可能に構成されている。
【００２４】
現金自動預払装置２は、銀行等の金融機関の店舗やコンビニエンスストア等の店舗、駅構内等に設置され、現金の預け入れや引き出し、振り込み等のＡＴＭ取引を利用者に提供する装置である。現金自動預払装置２は、ＡＴＭ取引の提供に伴って変動する各カセット内の現金額と、カセットＩＤとを、現金情報として記憶装置２１に記憶する。現金自動預払装置２は、所定のタイミングで、この現金情報を現金管理センタサーバ４に送信する。なお、記憶装置２１は、ハードディスクドライブやソリッドステートドライブ等の記憶媒体を用いて実現することができる。
【００２５】
各カセットの現金情報には、第１カウンタ部２６（図３参照）が検知したカウンタ値によって各カセット内の現金額を示す現金情報と、第２カウンタ部２７（図３参照）が検知したカウンタ値によって各カセット内の現金額を示す現金情報と、が含まれている。第１カウンタ部及び第２カウンタ部の詳細な説明は後述する。
【００２６】
計数管理センタサーバ３は、現金自動預払装置２の現金管理を委託された警備会社等において、回収されたカセットの現金を計数した情報を管理するコンピュータである。具体的には、計数管理センタサーバ３は、現金計算機で計数した計数額とカセットＩＤとを管理するコンピュータである。計数額とカセットＩＤは、計数情報として計数管理センタデータベース３１に記憶される。計数管理センタサーバ３は、所定のタイミングで、計数情報を現金管理センタサーバ４に送信する。
【００２７】
現金管理センタサーバ（現金管理サーバ）４は、現金管理システム１における現金自動預払装置２の入出金情報を管理するコンピュータであり、現金管理センタサーバ４の動作を統括的に制御する制御部及び現金管理センタデータベース（記憶部）４１を含んで構成されている。現金管理センタサーバ４の詳細は後述する。
【００２８】
通信ネットワーク５は、複数の現金自動預払装置２、計数管理センタサーバ３及び現金管理センタサーバ４との間で、ＡＴＭ取引に関する情報を伝送する。具体的には、通信ネットワーク５は、複数の現金自動預払装置２、計数管理センタサーバ３及び現金管理センタサーバ４との間で、現金自動預払装置２に対する所定の命令を伝送し、現金自動預払装置２でカウントされた現金情報、現金自動預払装置２の入出金情報及び計数管理センタサーバ３で計数された現金情報を伝送する。
【００２９】
なお、各現金自動預払装置２は、同一銀行に属する必要はなく、また、同一銀行が保守・運用・管理する装置でなくてもよい。また、計数管理センタサーバ３、及び現金管理センタサーバ４は、これらの役割を担う１台のコンピュータであってもよい。
【００３０】
（２）現金自動預払装置の構成
（２−１）外観構成
図２は、本発明の一実施形態に係る現金自動預払装置２を示す斜視図であり、内部の機構が見えるように扉２０９が開いた状態で示している。同図に示すように、現金自動預払装置２は、例えば、筐体２０の正面に形成されたタッチパネルディスプレイ２０１、テンキー２０２、インターフォン２０３、カード受付機構２０４、明細票印字機構２０５、現金出入機構２０６、制御機構２０７、及び現金収納機構２０８を備える。
【００３１】
タッチパネルディスプレイ２０１は、ガイダンスや必要な情報を表示する画面を有し、当該画面に表示された内容に応じて、利用者や警備員のタッチ操作による入力を受け付けるタッチセンサーを有する。テンキー２０２は、利用者によって操作される複数のボタンからなり、タッチパネルディスプレイ２０１に代えて、又は補助入力手段として用いられる。
【００３２】
インターフォン２０３は、利用者や警備員が、店舗内やコールセンタ内のオペレータと直通通話をするための受話器を含んで構成される。
【００３３】
カード受付機構２０４は、カード挿入口を含んで構成される。カード受付機構２０４は、タッチパネルディスプレイ２０１に表示されたガイダンスに従って、利用者が差し込んだカードを受け付けるとともに、ＡＴＭ取引の提供後、カードを排出して利用者に返却する。
【００３４】
明細票印字機構２０５は、明細票排出口を含んで構成される。明細票印字機構２０５は、ＡＴＭ取引の提供後、利用者の入出金情報が印字された明細票を排出口から排出する。また、明細票印字機構２０５は、カセット交換の際に、現金管理センタサーバ４から送信されるカセット２１１のステータス情報をレシート形式で排出する。
【００３５】
現金出入機構２０６は、筐体２０の正面に形成された開口部２０６１に対応する位置に設けられている。現金出入機構２０６は、現金の出し入れに応じて開閉する開閉蓋を備えた出入口２０６２、及び出入口２０６２の近傍に設けられた現金額をカウントするためのカウンタ（図示せず）を含む。現金出入機構２０６は、利用者によって投入される紙幣等の現金を受け入れ、また、利用者に払い出す現金を返却する。
【００３６】
制御装置２０７は、現金自動預払装置２の動作を統括的に制御する回路基盤を含む。これにより、制御装置２０７は、現金出入機構２０６を介して現金自動預払装置２に対する現金の出し入れを制御し、また、現金収納機構２０８を介してカセット２１１に対する現金の出し入れを制御することができる。
【００３７】
現金収納機構２０８は、例えば、筐体２０内の下部に設けられる。同図では、現金収納機構２０８が筐体２０から引き出された状態が示されている。現金収納機構２０８は、例えば、現金を種類毎に収納する複数のカセット２１１、現金の出し入れが行われる出入口２１２、カセット２１１を収納する収納ボックス２１３、及び出入口２１２の近傍に設けられた現金額をカウントするためのカウンタ（図示せず）を含む。複数のカセット２１１のそれぞれは、例えば、ＩＣのような記憶媒体を有し、そこに個々のカセット２１１を一意に識別するための識別番号（カセットＩＤ）を記憶している。カセットＩＤは、現金自動預払装置２の識別番号（ＡＴＭ  ＩＤ）とともに現金管理センタサーバ４で管理されている。
【００３８】
（２−２）機能構成
図３は、本発明の一実施形態に係る現金自動預払装置２の機能的要素を示すブロック図である。即ち、同図は、機能的な観点で抽出される現金自動預払装置２の要素間の関係を示すものである。いくつかの機能的要素は、個々に又は他と相まって、図２で示した現金自動預払装置２の部材と関連付けることができる。
【００３９】
即ち、同図に示すように、現金自動預払装置２は、例えば、制御装置２０７の機能的要素を示すＡＴＭ制御部２２、ユーザインターフェース（ＵＩ）部２３、カード受付部２４、印刷票出力部２５、第１カウンタ部２６、第２カウンタ部２７、及び通話部２８を含む。
【００４０】
ＡＴＭ制御部２２は、現金自動預払装置２の動作を統括的に制御する。例えば、ＡＴＭ制御部２２は、プロセッサがその役割を担い、記憶装置２１に記憶された各種のプログラムを実行し、これにより、制御装置２０７は所定の機能を実現する。また、ＡＴＭ制御部２２は、カード受付部２４、印刷票出力部２５、第１カウンタ部２６、及び第２カウンタ部２７とやり取りを行ってＡＴＭ取引を遂行する役割、記憶装置２１に対して情報の入出力を行ってＡＴＭ取引を管理する役割、さらには、現金管理センタサーバ４や計数管理センタサーバ３と通信を行う通信インターフェースの役割も担っている。
【００４１】
また、ＡＴＭ制御部２２は、第１カウンタ部２６で計数した現金に基づき、カセット２１１内の現金額を計算するとともに、第２カウンタ部２７で計数した現金に基づき、カセット２１１内の現金額を計算する。ＡＴＭ制御部２２は、それぞれの現金額を後述するカウンタテーブル２１０に登録する。さらに、ＡＴＭ制御部２２は、カセット２１１内の現金量を調整し、カセット２１１間において現金の移動を行う。
【００４２】
ユーザインターフェース部２３は、上述したタッチパネルディスプレイ２０１及びテンキー２０２を含んで構成され、利用者に対してインタラクティブ環境を提供する。
【００４３】
カード受付部２４は、利用者によって差し込まれるカードを受け付ける。カード受付部３３はまた、ＡＴＭ制御部２２の制御の下、受け付けたカードを利用者に返却すべく排出する。
【００４４】
印刷票出力部２５は、ＡＴＭ制御部２２の下、利用者の入出金情報を印刷票に印字する処理を行い、印字した印刷票を排出する。また、印刷票出力部２５は、ＡＴＭ制御部２２の下、現金管理センタサーバ４から送信されるカセット交換に関する通知に基づき、所定のカセットに対するステータス情報をレシートに印字する処理を行い、印字したレシートを排出する。
【００４５】
第１カウンタ部２６は、ＡＴＭ制御部２２の制御の下、利用者との間で紙幣等の現金を受け渡しするための機構を含んで構成される。第１カウンタ部２６は、例えば、利用者により現金の入金を受け付けた場合は、入金された現金を鑑別、計数し、ＡＴＭ制御部２２に入金情報を通知し、ＡＴＭ制御部２２の制御の下、入金された現金を第２カウンタ部２７に送出する。また、利用者による出金指示を受け付けた場合は、第１カウンタ部２６は、ＡＴＭ制御部２２の制御の下、第２カウンタ部２７から取り出される現金を計数し、セットする。
【００４６】
第２カウンタ部２７は、ＡＴＭ制御部２２の制御の下、カセットから現金の出し入れを行うための機構を含んで構成される。第２カウンタ部２７は、例えば、利用者により現金の入金を受け付けた場合は、第１カウンタ部２６で鑑別、計数し終えた現金を受け付け、現金の種類に応じたカセットに現金を送出する。また、利用者による出金指示を受け付けた場合は、第２カウンタ部２７は、ＡＴＭ制御部２２の制御の下、現金の種類に応じたカセットから現金を取り出し、第１カウンタ部２６に送出する。
【００４７】
通話部２８は、インターフォン２０３を含んで構成され、図示しない専用回線を介して、利用者とコールセンタ内のオペレータとの間の通話機能を提供する。
【００４８】
なお、本実施形態では、第１カウンタ部２６と第２カウンタ部２７とを分けて説明したが、特に制限されず、例えば、現金自動預払装置２に備えた1つのカウンタが、これらの役割を担ってもよい。
【００４９】
（２−３）テーブル構成
記憶装置２１に保持されるカウンタテーブル２１０について説明する。
【００５０】
カウンタテーブル２１０は、ＡＴＭ取引に基づく、各カセット２１１の現金情報を記憶するテーブルであり、現金自動預払装置２の記憶装置２１に保持される。カウンタテーブル２１０は、第１カウンタ部２６が計数した現金に基づき計算したカセット２１１内の現金額と、第２カウンタ部２７が計数した現金に基づき計算したカセット２１１内の現金額との違算を検知するために使用される。各カセット２１１の現金情報には、第１カウンタ部２６が計数した現金に基づき計算したカセット２１１内の現金額を含む現金情報（以下、Ａデータという。）と、第２カウンタ部２７が計数した現金に基づき計算したカセット２１１内の現金額を含む現金情報（以下、Ａ’データという。）と、が含まれている。なお、カウンタテーブル２１０は、第１カウンタ部２６で計数した現金枚数と、第２カウンタ部２７で計数した現金枚数とを記憶してもよい。
【００５１】
より具体的には、カウンタテーブル２１０は、例えば、図４に示すように、各カセット２１１及びこれらカセット２１１を有する現金自動預払装置２に対応して、各欄が構成されており、Ａデータを示す「第１カウンタ部に基づく現金額」欄２１０１、Ａ’データを示す「第２カウンタ部に基づく現金額」欄２１０２、ＡデータとＡ’データとの不整合枚数を示す「不整合枚数」欄２１０３、及びＡデータとＡ’データとの不整合回数を示す「不整合回数」欄２１０４を含む。
【００５２】
現金管理センタサーバ４は、現金自動預払装置２から送信されたＡデータとＡ’データとを照合し、照合結果を現金自動預払装置２に送信する。現金自動預払装置２は、照合結果を受信すると、カウンタテーブル２１０の「不整合枚数」欄２１０３及び「不整合回数」欄２１０４に登録する。照合の結果、ＡデータとＡ’データとが不一致の場合に、現金管理センタサーバ４は、カセット２１１に収納された現金に違算が生じたと判断する。
【００５３】
（３）現金管理センタサーバの構成
（３−１）ハードウェア構成
現金管理センタサーバ４は、プロセッサ、メモリ、キーボード、及び画面など、通常のコンピュータ装置と同様のハードウェアを備えている。現金管理センタサーバ４は、物理的には、専用化したシステム、あるいは汎用の情報処理装置のいずれであってもよい。
【００５４】
（３−２）機能構成
図５は、本発明の一実施形態に係る現金管理センタサーバ４の機能的要素を示すブロック図である。同図に示すように、現金管理センタサーバ４は、プロセッサの機能的要素を示す制御部４２、メモリの機能的要素の一部を示す現金管理センタデータベース（記憶部）４１、入力部４３及び出力部４４を含む。
【００５５】
制御部４２は、現金管理センタサーバ４の動作を統括的に制御する。例えば、制御部４２は、メモリに記憶された各種のプログラムを実行し、これにより、プロセッサは所定の機能を実現する。また、制御部は、現金自動預払装置２や計数管理センタサーバ３と通信を行う通信インターフェースの役割も担っている。
【００５６】
また、制御部４２は、現金自動預払装置２に対する入出金の経過を監視し、ＡＴＭ取引の提供に伴って変動する現金自動預払装置２の入出金情報やインベント情報を取得する。なお、イベント情報には、例えば、カセット交換情報、入出金情報、紙幣移動情報等、カセット２１１内の現金額が変動する情報を含むことができる。制御部４２は、取得した入出金情報に従って算出した現金理論額と、現金自動預払装置２から受信した現金自動預払装置２のＩＤとを、現金理論情報として現金管理センタデータベース４１に記憶させる。
【００５７】
さらに、制御部４２は、警備員によって現金自動預払装置２に収納された所定のカセットが回収されると、現金自動預払装置２から送信された現金額の総額、計数管理センタサーバ３から送信された計数額の総額、及び現金管理センタデータベース４１から読み出した現金自動預払装置２の現金理論額をそれぞれ照合し、現金自動預払装置２に取り付けられたカセット内における現金の整合性を判断する。
【００５８】
現金管理センタデータベース４１には、各種情報が記憶されている。各種情報は、例えば、テーブル形式で保持されており、現金管理センタデータベース４１に、照合テーブル４１１及び調査テーブル４１２が保持されている。各テーブルの詳細は後述する。
【００５９】
入力部４３は、管理者からの入力情報を受け付け、受け付けた入力情報を制御部４２に送出する。
【００６０】
出力部４４は、制御部４２によって処理された各種情報を管理者に表示する。
【００６１】
（３−３）照合テーブルの構成
次に、現金管理センタデータベース４１に保持される照合テーブル４１１について説明する。照合テーブル４１１は、カセット２１１に収納された現金の違算を検出するために使用されるテーブルである。図６Ａ〜図６Ｃは、照合テーブル４１１の一例を示している。
【００６２】
照合テーブル４１１は、図６Ａに示すような、現金自動預払装置２から送信されたＡデータを記憶したＡデータテーブル４１１Ａ、図６Ｂに示すような、現金管理センタサーバ４が管理する現金自動預払装置２の現金理論情報（以下、Ｂデータという。）を記憶したＢデータテーブル４１１Ｂ、及び、図６Ｃに示すような、計数管理センタサーバ３から送信された各カセット２１１の計数情報（以下、Ｃデータという。）を記憶したＣデータテーブルを含んで構成される。
【００６３】
Ａデータテーブル４１１Ａは、イベント毎に変動する各カセットの現金額と、カセットＩＤとを記憶したテーブルであり、カセット２１１の識別番号と、イベントに対応した該カセット２１１の現金情報と、を含むことができる。また、Ａデータテーブル４１１Ａは、回収されたカセットの現金額を記憶する。このＡデータは、現金自動預払装置２から現金管理センタサーバ４に送信される。例えば、図６Ａに示すカセット「00001」には、当初500万円（1万円札が500枚）の現金が収納されていたが、該カセットの回収時には、50万円（1万円札が50枚）の現金が収納されていることが示されている。
【００６４】
Ｂデータテーブル４１１Ｂは、イベント毎に変動する現金自動預払装置の現金理論額と、現金自動預払装置２のＩＤとを記憶したテーブルであり、現金自動預払装置２の識別番号と、イベントに対応した該現金自動預払装置２の現金情報とが登録される。Ｂデータテーブル４１１Ｂは、現金自動預払装置２の入出金情報に伴って変動する現金自動預払装置２内の現金理論額の他、現金自動預払装置２のイベント情報に伴って変動する現金自動預払装置２内の現金理論額が登録される。例えば、個別のカセット交換に伴って、現金自動預払装置２に新たなカセット２１１が取り付けられた場合、新たなカセット２１１内の現金額に基づいて、現金理論額が算出される。また、全てのカセットの交換に伴って、現金自動預払装置２の全てのカセット２１１が取り外された場合、回収された全てのカセット２１１内の現金総額に基づいて、現金理論額が算出される。
【００６５】
Ｃデータテーブル４１１Ｃは、イベント時にカセット内の現金を計数した現金額と、カセットＩＤとを記憶したテーブルであり、カセットの識別番号と、イベント時における該カセットの現金を計数した現金情報とを含むことができる。
【００６６】
現金管理センタサーバ４は、各テーブル４１１Ａ，４１１Ｂ，及び４１１Ｃに基づいて、回収時のＡデータの総額、回収時のＢデータ、及び回収時のＣデータの総額を照合し、照合不一致の場合に、カセット２１１に収納された現金に違算が生じたと判断する。
【００６７】
（３−４）調査テーブルの構成
図７は、調査テーブル４１２の一例を示している。調査テーブル４１２は、現金自動預払装置２毎に作成されるものであり、現金管理センタサーバ４がカセット２１１に収納された現金違算を検出した場合、検出した違算の原因を調査するために使用されるテーブルである。
【００６８】
調査テーブル４１２は、カセット内の現金違算が生じる可能性を有したイベント毎に発生した各種情報を記憶するテーブルである。各種情報には、例えば、障害発生情報、違算情報、取引履歴情報、照合結果情報、及びカセット２１１の交換情報等、カセット交換に伴ってカセット内の現金が変動するイベント情報やカセット２１１に対して特定の操作が行われたイベント情報等、カセット内の現金違算を検出するイベント情報が含まれる。調査テーブル４１２は、例えば、図７に示すように、「イベント」欄４１２１、イベントが発生した「日時」欄４１２２、カセットを収納している「収納ＩＤ」欄４１２３、「カセットＩＤ」欄４１２４、「カセット交換情報」欄４１２５、カセットの「ステータス情報」欄４１２６、及び「照合結果」欄４１２７、等から構成されている。
【００６９】
「カセット交換情報」欄４１２５は、前回カセットを交換した「前回カセット日時」欄、今回カセットを交換した「カセット交換日時」欄、及びカセット交換が個別交換か全部交換かを示す「交換区分」欄を含むことができる。
【００７０】
また、「ステータス情報」欄４１２６は、カセットに収納される現金量（現金枚数）を調整する「カセットアクセスモード」欄、カセット間での紙幣移動が行われたか否かを示す「カセット間紙幣移動の有無」欄、収納されているカセットの位置を変更したか否かを示す「格納変更位置の有無」欄を含むことができる。
【００７１】
カセットアクセスモードには、例えば、現金をバランスよく各カセットに送入又は各カセットから送出するための「均等」モードと、現金を集中して所定のカセットに送入又は所定のカセットから送出するための「片寄せ」モードとがある。現金自動預払装置２は、これらのモードに従って、カセットに収納される現金量を調整することができる。
【００７２】
違算の原因を調査する際には、現金管理センタサーバ４は、所定の条件を指定し、調査テーブル４１２に基づいて所定の条件に合致する不一致情報を抽出する。所定の条件は、アクセスモードの切り替え、カセット間の紙幣移動、格納位置の変更、現金詰まりの発生、ＡデータとＡ’データとの不整合発生等、現金の違算が生じ易い情報を含む。不一致情報は、イベント毎に発生した各種情報の中から抽出され、且つ、所定の条件に合致した情報である。
【００７３】
なお、上述した各種テーブル２１１，４１１，及び４１２は、一例であり、必ずしもテーブル形式で構成されなくてもよい。
【００７４】
（４）シーケンス
上記のように構成された現金管理システムにおいて、現金自動預払装置２に取り付けられたカセットを個別に回収し、その後、該現金自動預払装置２に取り付けられているカセットを全て回収し、回収したカセット内の現金を照合するまでのシーケンスについて、図８乃至図１７を用いて説明する。
【００７５】
（４−１）カセットの個別交換に伴うシーケンス
まず、現金自動預払装置２に取り付けられている所定のカセットに対してカセット交換が生じた場合のシーケンスについて説明する。
【００７６】
現金自動預払装置２は、イベントが生じた場合に、イベントによって変動するＡデータを現金管理センタサーバ４に送信する（Ｓ１）。
【００７７】
現金管理センタサーバ４は、Ａデータを受信すると、該Ａデータを計数管理センタサーバ３に送信する（Ｓ２）。
【００７８】
計数管理センタサーバ３は、受信したＡデータを参照し、現金自動預払装置２に収納されているカセットのうち、所定のカセットに収納されている現金が閾値を下回り（又は上回り）、所定のカセットに対して交換の必要があると判断した場合には、その旨を警備員に通知する。この通知を受けて、警備員は、新しいカセットに現金を装填し、計数管理センタサーバ３を操作して、新しいカセットのＩＤと、装填した現金額とを計数管理センタデータベース３１に登録する（Ｓ３）。そして、計数管理センタサーバ３は、装填された現金額を現金管理センタサーバ４に報告する（Ｓ４）。
【００７９】
次に、警備員は、カセットを個別に交換するため、現金自動預払装置２に向かうと、現金自動預払装置２のＡＴＭ取引を一旦休止させる。その後、警備員が回収対象のカセットについて個別交換をすることに伴い、現金自動預払装置２、計数管理センタサーバ３及び現金管理センタサーバ４が、連携して個別交換に関連する処理を実行する（Ｓ５）。回収対象のカセットとは、現金自動預払装置２に取り付けられているカセットであって、その後、警備員によって回収されるカセットをいう。
【００８０】
現金自動預払装置２、計数管理センタサーバ３及び現金管理センタサーバ４が、それぞれ連携して、個別交換に関連する処理を実行した後、新しいカセットを取り付けた現金自動預払装置２はＡＴＭ取引を再開する（Ｓ６）。
【００８１】
現金自動預払装置２は、ＡＴＭ取引が発生する度に、各カセットの現金情報をカウンタテーブル２１０に記憶する（Ｓ７）。具体的には、現金自動預払装置２は、第１カウンタ部２６が計数した現金に基づき計算したカセット２１１内の現金額とカセットＩＤとの現金情報（すなわち、Ａデータ）と、第２カウンタ部２７が計数した現金に基づき計算したカセット２１１内の現金額とカセットＩＤとの現金情報（すなわち、Ａ’データ）と、を記憶装置２１に記憶する（Ｓ７）。
【００８２】
現金自動預払装置２は、Ａデータと、Ａ’データとを現金管理センタサーバ４に送信する（Ｓ８）。また、現金自動預払装置２は、ＡＴＭ取引が発生する度に、取引情報を現金管理センタサーバ４に送信する（Ｓ８）。取引情報には、利用者が現金自動預払装置２に対する入金又は出金情報が含まれる。
【００８３】
現金管理センタサーバ４は、受信したＡデータと、Ａ’データとを現金管理センタデータベース４１に記憶する（Ｓ９）。また、現金管理センタサーバ４は、受信した取引情報に基づいて、現金自動預払装置２の現金理論額と、現金自動預払装置２のＩＤとを、Ｂデータ（現金理論情報）として現金管理センタデータベース４１に記憶する（Ｓ９）。
【００８４】
現金自動預払装置２及び現金管理センタサーバ４は、所定の時間が経過するまで（Ｓ１０：ＮＯ）、ステップＳ７及びステップＳ８を繰り返す。
【００８５】
現金管理センタサーバ４は、所定の時間が経過したと判断すると（Ｓ１０：ＹＥＳ）、ＡデータとＡ’データとを照合し、両データが一致しているか否かを判断する（Ｓ１１）。より具体的には、現金管理センタサーバ４は、同じカセットＩＤを持つカセットに対して、第１カウンタ部２６が計数した現金に基づき計算したカセット２１１内の現金額と、第２カウンタ部２７が計数した現金に基づき計算したカセット２１１内の現金額とを照合する。
【００８６】
現金管理センタサーバ４は、照合の結果、両データが一致していると判断すると（Ｓ１１：ＹＥＳ）、ステップＳ１０に戻る。
【００８７】
一方、現金管理センタサーバ４は、照合の結果、両データが一致していないと判断すると（Ｓ１１：ＮＯ）、現金管理センタサーバ４の管理画面に警告の表示を出力する（Ｓ１２）。
【００８８】
（４−２）カセットの個別交換に関連する処理
次に、ステップＳ５において、現金自動預払装置２、計数管理センタサーバ３及び現金管理センタサーバ４が、連携してカセットの個別交換に関連する処理を、図９を用いて説明する。
【００８９】
計数管理センタサーバ３を管理する警備員は、回収対象のカセット２１１を収納している現金自動預払装置２の設置場所に到着すると、現金自動預払装置２、計数管理センタサーバ３及び現金管理センタサーバ４が、それぞれ連携して個別交換に関連する処理を開始する。
【００９０】
警備員は、現金自動預払装置２のタッチパネルディスプレイ２０１を操作すると、現金自動預払装置２は、ＡＴＭ取引を休止させ、管理画面を表示させる（Ｓ２１）。
【００９１】
警備員は、管理画面を操作し、回収対象となるカセット２１１の現金残量を確認する。警備員は、回収対象となるカセットの現金残量があることを管理画面で確認すると、現金自動預払装置２は、警備員が管理画面を介して入力した指示に従い、当該カセット２１１が空（又は満杯）になるように、カセット間の現金移動を行う。
【００９２】
例えば、警備員が、図１０に示すように、管理画面６に表示された「カセット現金移動」ボタンＢ１を押下すると、現金自動預払装置２は、警備員からの指示を受け、現金残量が視認できるカセット２１１の図を管理画面６に表示する。警備員は、現金を移動する移動元のカセット２１１と移動先のカセットを指定し、移動する枚数を指定する。現金自動預払装置２は、この指示を受け、指定されたカセット間の現金移動を行い、その結果を管理画面６に表示する。図１１には、第１カセットに収納されていた現金が第２カセットに移動された状態を示している。このように、カセット間の移動が終了すると、移動元のカセット２１１及び移動先のカセット２１１のいずれか１つ、またはこれらの両方が、カセット交換の対象となる。
【００９３】
また、警備員は、管理画面６を操作することによって、任意にカセット２１１が収納されている位置を変更することもできる。例えば、警備員が、図１２に示すように、管理画面６に表示された「カセット現金移動」ボタンＢ２を押下すると、現金自動預払装置２は、警備員からの指示を受け、現金残量が視認できるカセット２１１の図を管理画面６に表示する。警備員は、位置変更の対象となる２つのカセットを指定すると、現金自動預払装置２は、この指示を受け、指定されたカセットの位置変更を行い、その結果を管理画面６に表示する。図１３には、現金残量はそのままで、第２カセットと第３カセットの位置が入れ替わった状態を示している。
【００９４】
次に、警備員は、現金自動預払装置２のタッチパネル２０１を操作すると、該操作を受け付けた現金自動預払装置２は、カセットの交換報告通知と、該現金自動預払装置２に取り付けられ、且つ回収対象のカセットのＡデータとを現金管理センタサーバ４に送信する（Ｓ２２）。
【００９５】
現金管理センタサーバ４は、カセットの交換通知と、回収対象であるカセットのＡデータとを受信すると、回収対象であるカセットのＡデータを照合テーブル４１１に登録する（Ｓ２３）。例えば、回収対象であるカセットＩＤが「00001」であり、このカセットに収納されている現金額が「50万」であるＡデータの場合には、図６Ａに示すように、カセットＩＤが「00001」の列に、回収時の現金額「50万」が照合テーブル４１１に登録される。その後、現金管理センタサーバ４は、交換許可の通知を現金自動預払装置２に送信する（Ｓ２４）。
【００９６】
現金自動預払装置２は、現金管理センタサーバ４から交換許可の通知を受信すると、回収対象であるカセットのステータス情報を出力する（Ｓ２５）。ステータス情報には、交換日時、カセットＩＤ、及びカセットに収納されている現金額の情報が含まれている。例えば、図１４に示すように、現金自動預払装置２は、ステータス情報をレシート形式で出力することができる。ステータス情報がレシート形式の場合には、警備員は出力されたレシートを回収対象であるカセットに付与する。
【００９７】
次に、警備員は、収納ボックス２１３から交換対象であるカセットを取り外し、空になった収納ボックス２１３に、準備した新たなカセット２１１を取り付け、カセット交換を行う（Ｓ２６）。
【００９８】
現金自動預払装置２は、警備員によるカセット交換完了指示を受け、カセットの交換完了通知と、新たに取り付けられたカセットのＡデータとを現金管理センタサーバ４に送信する（Ｓ２７）。
【００９９】
現金管理センタサーバ４は、カセットの交換完了通知と、新たに取り付けられたカセットのＡデータとを現金自動預払装置２から受信すると、新たに取り付けられたカセットのＡデータを照合テーブル４１１に登録する（Ｓ２８）。
【０１００】
例えば、新たに取り付けられたカセットＩＤが「00005」であり、該カセット内の現金額が「500万」であるＡデータの場合には、図６Ａに示すように、カセットＩＤ「00005」の列に、現金額が「500万」というイベント情報が照合テーブル４１１に登録される。また、図６Ｂに示すように、受信した現金自動預払装置２のＩＤに該当する照合テーブル４１１に、カセット交換後に現金自動預払装置２が有する現金額「1160万」（すなわち、「810万」＋「500万」）が登録される（Ｓ２８）。
【０１０１】
その後、現金管理センタサーバ４は、交換完了の受領通知を現金自動預払装置２に送信する（Ｓ２９）。現金自動預払装置２は、交換完了の受領通知を受信すると、管理画面から通常のＡＴＭ取引画面に切り替え、ＡＴＭ取引を再開する（Ｓ６）。
【０１０２】
現金自動預払装置２が、管理画面を介して、交換完了の受領通知を警備員に表示すると、警備員は、収納ボックス２１３から取り外されたカセット２１１を回収する（Ｓ３０）。
【０１０３】
その後、警備員が回収されたカセット２１１を警備会社に持ち帰ると、回収されたカセット２１１内の現金を、例えば現金計算機で計数する。計数管理センタサーバ３は、計数額とカセットＩＤとを、計数管理センタデータベース３１に登録する（Ｓ３１）。ここで登録された計数額とカセットＩＤとがＣデータとなる。また、現金金管理センタサーバ３は、Ｃデータを現金管理センタサーバ４に送信する（Ｓ３２）。
【０１０４】
現金管理センタサーバ４は、Ｃデータを受信すると、Ｃデータを照合テーブル４１１に登録する（Ｓ３３）。例えば、図６Ｃに示すように、回収されたカセットＩＤが「00001」であり、該カセット内の現金額が「50万」であるＣデータの場合には、「50万」が照合テーブル４１１に登録される。現金管理センタサーバ４は、Ｃデータを照合テーブル４１１に登録すると、この処理を終了する。
【０１０５】
このように、所定のカセットに対して個別の交換が行われるたびに、現金自動預払装置２及び計数管理センタサーバ３からＡデータ及びＣデータが収集され、照合テーブル４１１に蓄積され、また、Ｂデータが更新されていくことになる。
【０１０６】
（４−３）全てのカセットを交換するシーケンス
次に、現金自動預払装置２に収納されている全部のカセットに対してカセット交換が生じた場合のシーケンスについて、図１５乃至図１７を用いて説明する。
【０１０７】
現金管理センタサーバ４は、所定の現金自動預払装置２に対して所定の期間が経過したと判断すると（Ｓ４１：ＹＥＳ）、所定の現金自動預払装置２に対し全てのカセットを交換するように、計数管理センタサーバ３に指示を送信する（Ｓ４２）。
【０１０８】
なお、所定の期間には、例えば、現金管理センタサーバ４が所定の現金自動預払装置２に対して、所定の現金自動預払装置２に対して全てのカセットを交換してから次に全てのカセットを交換するまでの期間や、１年経過後といったような一定期間等、を含めることができる。また、上述したステップＳ１４のように、所定の期間を経過していなくとも、現金管理センタサーバ４が所定の現金自動預払装置２に対し全てのカセットを交換するように、計数管理センタサーバ３に指示を送信した場合や、現金管理センタサーバ４が全てのカセットに収納されている現金が閾値を下回る又は上回ると判断した場合にも、ステップＳ４３乃至Ｓ４９の処理が実行される。
【０１０９】
計数管理センタサーバ３は、所定の現金自動預払装置２に対し全てのカセットを交換する指示を受信すると、それぞれの新しいカセットに現金を装填し、これらのカセットのＩＤと、各カセットに装填した現金額と、を計数管理センタデータベース３１に登録し（Ｓ４３）、この旨を現金管理センタサーバ４に報告する（Ｓ４４）。
【０１１０】
警備員は、全てのカセットを交換する対象の現金自動預払装置２に向かい、現金自動預払装置２のＡＴＭ取引を一旦休止させる。そして、現金自動預払装置２、計数管理センタサーバ３及び現金管理センタサーバ４はそれぞれ、全てのカセット交換に関連する処理を実行する（Ｓ４５）。なお、全てのカセット交換に関連する処理の詳細は後述する。
【０１１１】
現金自動預払装置２、計数管理センタサーバ３及び現金管理センタサーバ４が、全てのカセットについて、交換に関連する処理を終了すると、現金自動預払装置２は、ＡＴＭ取引を再開する（Ｓ４６）。
【０１１２】
その後、現金管理センタサーバ４は、所定のタイミングで照合テーブル４１１に基づいて、現金自動預払装置２における現金額の検査を行う（Ｓ４７）。なお、所定のタイミングとは、交換に関連する処理が終了した後や、交換に関連する処理を終了して数日後、等を含むことができる。
【０１１３】
まず、現金管理センタサーバ４は、Ａデータの中から各カセットの現金額の総額と、Ｃデータの中から各カセットの現金額の総額とを求める。例えば、図６Ａに示すように、ＩＤが「00001」である現金自動預払装置２において、カセットＩＤ「00001」〜「00003」を有する各カセットは、それぞれのカセットを個別に交換した際に回収されている。個別に回収された時の各現金額は、「50万」，「0万」，「1000千」である。したがって、個別に回収した際の現金合計額は、50万＋0万＋1000千＝150万である。そして、カセットＩＤ「00004」〜「00007」を有する全てのカセットは、今回のカセット交換において、回収されたものである。回収時の各現金額は、「1000千」，「50万」，「500万」，「500千」，である。したがって、全てのカセットを回収した際の現金合計額は、1000千＋50万＋500万＋500千＝700万である。これにより、現金管理センタサーバ４は、蓄積されたＡデータの現金額の総額が、150万＋700万＝850万、と求めることができる。
【０１１４】
また、例えば、図６Ｃに示すように、ＩＤが「00001」である現金自動預払装置２において、カセットＩＤ「00001」を有するカセットを回収した際に計数した計数額は「50万」、カセットＩＤ「00002」を有するカセットを回収した際に計数した計数額は「0万」、カセットＩＤ「00003」を有するカセットを回収した際に計数した計数額は「1000千」である。したがって、個別に計数した際の計数合計額は、50万＋0万＋1000千＝150万である。そして、カセットＩＤ「00004」〜「00007」が付与されたカセットを全て回収した際の各計数額は、「1000千」，「50万」，「500万」，「500千」である。したがって、全てのカセットを回収した際の計数合計額は、1000千＋50万＋500万＋500千＝700万である。これにより、現金管理センタサーバ４は蓄積されたＣデータの計数額の総額が、150万＋700万＝850万、と求めることができる。
【０１１５】
次に、現金管理センタサーバ４は、最終的に全てのカセットが回収された現金額に基づいて、Ｂデータの更新を行う。例えば、図６Ｂに示すように、ＡＴＭのＩＤが「00001」において、カセットＩＤ「00004」〜「00007」を有するカセットを全て回収した際の各現金額は、「1000千」，「50万」，「500万」，「500千」である。これにより、現金管理センタサーバ４はＩＤが「00001」である現金自動預払装置２の最終的な現金理論額（現金理論最終額）が「850万」と求めることができる。これにより、現金管理センタサーバ４は、Ｂデータを「1360万」から「850万」に更新する。
【０１１６】
現金管理センタサーバ４は、図１６に示すように、蓄積されたＡデータに含まれる現金額に基づいて算出される現金額の総額と、蓄積されたＣデータに含まれる計数額に基づいて算出される計数額の総額と、Ｂデータの現金理論最終額とを照合し、照合結果が一致したと判断した場合には（Ｓ４７：ＹＥＳ）、この処理を終了する（Ｓ４７）。
【０１１７】
一方、現金管理センタサーバは、照合結果が不一致したと判断した場合には（Ｓ４７：ＮＯ）、不一致の原因を調査する（Ｓ４８）。現金管理センタサーバ４を操作する管理者は、所定の条件を指定し、現金管理センタサーバ４が該指定を受け付けると、調査テーブル４１２、及び現金自動預払装置２から取得したログ情報に基づいて所定の条件に合致する情報を検出する。上述の如く、所定の条件には、現金の違算が生じ易い事象が含まれ、ログ情報には、例えば、現金自動預払装置２の利用情報や動作情報が含まれている。例えば、管理者が「カセットアクセスモードの切り替え」という条件を指定した場合、現金管理センタサーバ４は、この指定を受け付け、調査テーブル４１２に基づいて、カセットアクセスモードの切り替えが行われた現金自動預払装置２のＩＤ及びカセットＩＤを検出する。なお、現金管理センタサーバ４は、検出した現金自動預払装置２のＩＤ及びカセットＩＤを計数管理センタサーバ３に送信し、これらのＩＤを受信した計数管理センタの警備員が、現金自動預払装置２に向かい、更なる原因を調査してもよい。
【０１１８】
（４−４）全てのカセット交換に関連する処理
次に、ステップＳ４５において、現金自動預払装置２、計数管理センタサーバ３及び現金管理センタサーバ４が、それぞれ連携して全てのカセット交換に関連する処理を、図１７を用いて説明する。
【０１１９】
警備員は、回収対象となるカセット２１１を収納している現金自動預払装置２に到着すると、現金自動預払装置２のタッチパネルディスプレイ２０１を操作する。現金自動預払装置２は、該操作指示を受けると、ＡＴＭ取引を休止させて、管理画面を表示させる（Ｓ５１）。
【０１２０】
なお、上述した個別のカセット交換に関連する処理と同様に、警備員の指示に基づき、現金自動預払装置２が、適宜、カセット間の現金移動や、カセット格納位置変更を行ってもよい。
【０１２１】
次に、警備員は、現金自動預払装置２のタッチパネル２０１を操作すると、該操作を受け付けた現金自動預払装置２は、カセットの交換通知と、回収対象となる各カセットのＡデータとを、１つのデータに含めて現金管理センタサーバ４に送信する（Ｓ５２）。
【０１２２】
現金管理センタサーバ４は、カセットの交換通知と、回収対象となるカセットのＡデータとを受信すると、回収対象となるカセットの全てのＡデータを照合テーブル４１１に登録する（Ｓ５３）。例えば、Ａデータは、回収対象となるカセットＩＤがそれぞれ「00004」，「00005」，「00006」，「00007」であり、交換直前の現金額がそれぞれ「1000千」，「50万」，「500万」，「500千」である場合には、図６Ａに示すように、カセット毎に、Ａデータが照合テーブル４１１に登録される。その後、現金管理センタサーバ４は、交換許可の通知を自動預払装置２にカセット毎に送信する（Ｓ５４）。
【０１２３】
現金自動預払装置２は、交換許可の通知を受信すると、カセット毎に、回収対象となるカセットのステータス情報を出力する（Ｓ５５）。
【０１２４】
次に、警備員は、収納ボックス２１３から回収対象となるカセットを全て取り外し、空になった収納ボックス２１３に新たなカセットを取り付け、全てのカセットについて交換を行う（Ｓ５６）。
【０１２５】
警備員は、現金自動預払装置２のタッチパネルディスプレイ２０１を操作すると、現金自動預払装置２は、カセットの交換完了通知と、全ての新たなカセットについてのＡデータとを現金管理センタサーバ４に送信する（Ｓ５７）。
【０１２６】
現金管理センタサーバ４は、カセットの交換完了通知と、全ての新たなカセット２１１のＡデータとを受信すると、照合テーブル４１１を新たに作成する。全ての新たなカセット２１１についてのＡデータ及び新たなカセット２１１を取り付けた現金自動預払装置２についてのＢデータを、新たに作成した照合テーブル４１１に登録する（Ｓ５８）。また、現金管理センタサーバ４は、回収されたカセット２１１を取り付けていた現金自動預払装置２についてのＢデータを、照合テーブル４１１に登録する（Ｓ５８）。
【０１２７】
その後、現金管理センタサーバ４は、交換完了の受領通知を現金自動預払装置２に送信する（Ｓ５９）。
【０１２８】
現金自動預払装置２が、管理画面上に、交換完了の受領通知を警備員に表示すると、警備員は、収納ボックス２１３から取り外されたカセットを回収する（Ｓ６０）。
【０１２９】
その後、警備員が回収したカセット２１１を警備会社に持ち帰ると、カセット毎に、回収したカセット２１１に収納されていた現金を、現金計算機で計数し、この計数額とカセットＩＤとを、Ｃデータとして計数管理センタデータベース３１に記憶する（Ｓ６１）。また、計数管理センタサーバ３は、カセット毎に、Ｃデータを現金管理センタサーバ４に送信する（Ｓ６２）。
【０１３０】
現金管理センタサーバ４は、各Ｃデータを受信すると、各Ｃデータを照合テーブル４１１に登録する（Ｓ６３）。例えば、図６Ｃに示すように、回収したカセットＩＤがそれぞれ「00004」，「00005」，「00006」，「00007」であり、計数額がそれぞれ「1000千」，「50万」，「500万」，「500千」であるＣデータの場合には、図６Ｃに示すように、Ｃデータが照合テーブル４１１に登録される。現金管理センタサーバ４は、各Ｃデータを照合テーブル４１１に登録すると、この処理を終了する。
【０１３１】
このように、全てのカセットに対して交換が行われると、現金管理センタサーバ４が各Ｃデータを照合テーブル４１１に登録終了後、該照合テーブル４１１を用いて、照合が行われ、一方では、新たに作成された照合テーブル４１１に、新たなカセット２１１についての各データが登録されていくことになる。
【０１３２】
なお、上述した処理の他、例えば、所定の現金自動預払装置２において、紙詰まりや現金が重なってカセット２１１の出入口２１２から送出される、等、現金自動預払装置２に対し障害発生の可能性が高い事象が生じた場合には、現金自動預払装置２は、これらの事象を障害予備情報として現金管理センタサーバ４への送信時に、取引の電文に含ませることができる。
【０１３３】
本実施形態によれば、全てのカセットを回収した際に収納されている現金の整合のみならず、個別に回収されたカセット内の現金の整合を管理できるように、現金管理センタサーバ４が有する照合テーブル４１１にＡデータ、Ｃデータを蓄積し、Ｂデータを更新するので、所定の現金自動預払装置２における個別のカセットに対して、カセット交換を行うことができる。このように、個別交換を可能としたので、各カセットに収納されている現金量を個別に調整することが可能となり、全てのカセットを交換する時期の間隔を従来に比して長く設定することができる。
【０１３４】
また、全てのカセットを交換する期間が到来した場合であっても、現金管理センタサーバ４が所定の現金自動預払装置２に関する各データをリアルタイムで管理し、その後所定のタイミングで照合するので、カセットの現金額の不整合を管理することができる。
【０１３５】
２．第２実施形態
次に本発明の第２実施形態について説明する。本第２実施形態は、上記第１実施形態において回収されたカセット２１１を、他の現金自動預払装置２Ｂに利用する点で、上記第１実施形態と異なる。上記第１実施形態と同じ構成には同一の符号を付し、説明を省略する。
【０１３６】
（１）システム構成
図１８は、本第２実施形態の現金管理システムにおける利用関係を示す模式図である。
本第２実施形態における現金管理システムの構成は、第１実施形態と同じであるが、図１８に示すように、複数の現金自動預払装置２のうち、１台を利用元の現金自動預払装置２Ａとし、複数台を利用先の現金自動預払装置２Ｂとしている。
【０１３７】
利用元の現金自動預払装置２Ａは、回収対象のカセット２１１が収納されている現金自動預払装置２である。また、利用先の現金自動預払装置２Ｂは、利用元の現金自動預払装置２Ａから回収されたカセットを利用して、ＡＴＭ取引を行う現金自動預払装置２である。なお、利用元、利用先を特に区別して説明する場合を除き、現金自動預払装置２と記載する。
【０１３８】
（２）利用テーブルの構成
また、現金管理センタデータベース４１には、利用テーブル４１３がさらに記憶されている。図１９は、利用テーブル４１３の一例を示している。
【０１３９】
利用テーブル４１３は、利用元の現金自動預払装置２Ａと利用先の現金自動預払装置２Ｂとの対応情報を管理するテーブルであり、回収対象のカセットを有する所定の現金自動預払装置２を利用元の現金自動預払装置２Ａとし、回収したカセットを利用してＡＴＭ取引を行う他の現金自動預払装置２を利用先の現金自動預払装置２Ｂとして、対応付けている。
【０１４０】
利用テーブル４１３は、例えば、利用元及び利用先を１つのグループとして管理する「グループＩＤ」欄４１３１、そのグループに属する現金自動預払装置２を示す「ＡＴＭ  ＩＤ」欄４１３２、利用元又は利用先を示す「区分」欄４１３３、所定のカセットを利用する前にカセット交換が行われた日時を示す「利用前  交換日時」欄４１３４、所定のカセットを利用した後にカセット交換が行われた日時を示す「利用後  交換日時」欄４１３５、カセットの交換が行われたか否かを示す「交換区分」欄４１３６、を含むことができる。
【０１４１】
（３）回収対象のカセットを個別に交換するシーケンス
本第２実施形態のシーケンスは、第１実施形態と同様、ステップＳ１乃至Ｓ１４までを実行するが、ステップＳ５における詳細な処理が上記第１実施形態と異なる。そこで、本第２実施形態において、ステップＳ５に代わる、カセットの個別交換に関連する処理を、図２０乃至図２３を用いて、説明する。
【０１４２】
まず、ステップＳ７１乃至Ｓ７３までの処理を、ステップＳ２１乃至Ｓ２３と同様に実行すると、現金管理センタサーバ４は、回収対象のカセットが、他の現金自動預払装置２に利用可能か否かを閾値に基づいて判断する（Ｓ７４）。
【０１４３】
閾値は、例えば、同日中に他の現金自動預払装置２への利用が可能なカセットであること、カセットを利用する回数が１回であること、等を含めることができ、現金管理センタサーバ４が現金管理センタデータベース４１内の各種テーブル４１１，４１２，４１３を参照することにより、可変に設定可能である。また、現金管理センタサーバ４及び計数管理センタサーバ３のいずれもが、カセットの選択をすることができる。例えば、現金管理センタサーバ４が現金管理センタデータベース４１内の各種テーブル４１１，４１２，４１３を参照し、ある現金自動預払装置２に対して出金傾向が高いと判断した場合には、その現金自動預払装置２のカセットは空になる傾向が高いため、入金傾向が高いと判断した他の現金自動預払装置２に対してこのカセットを利用する、と選択することができる。
【０１４４】
現金管理センタサーバ４は、受信したカセットＩＤを有するカセットが、上述した閾値に基づいて、他の現金自動預払装置２に利用可能であると判断すると（Ｓ７４：ＹＥＳ）、検討結果（利用許可）の通知を現金自動預払装置２に送信する（Ｓ７７）。
【０１４５】
現金自動預払装置２は、検討結果の通知を受信すると、回収対象であって且つ利用対象であるカセットのステータス情報を出力する（Ｓ７８）。ステータス情報には、第１実施形態と同様に、交換日時、カセットＩＤ、及びカセットに収納されている現金額の情報の他、利用の可否情報が含まれている。利用可否の情報が「利用可」情報であれば、現金管理センタサーバ４が当該カセットを利用元のカセットであると判断したことになる。また、例えば、図２０に示すように、現金自動預払装置２は、ステータス情報をレシート形式で出力することができる。
【０１４６】
その後、ステップＳ７９乃至Ｓ８２までの処理は、第１実施形態におけるステップＳ２６乃至２９までの処理と同様に行う。なお、現金自動預払装置２が、交換完了の受領通知を受信すると、警備員が取引開始の操作を行う。現金自動預払装置２は、該操作の指示を受け、ＡＴＭ取引を再開する。
【０１４７】
現金自動預払装置２が、管理画面を介して、交換完了の受領通知を警備員に表示すると、警備員は、収納ボックス２１３から取り外したカセットを回収し、回収したカセットを他の現金自動預払装置２まで運搬する（Ｓ８３）。
【０１４８】
警備員が、回収したカセットを他の現金自動預払装置２まで運搬すると、回収したカセットを他の現金自動預払装置２に取り付ける。その後、現金管理センタサーバ４及び他の現金自動預払装置２は、それぞれ連携してステップＳ８４乃至Ｓ８６までの処理を、ステップＳ７１及びステップＳ７３の処理と同様に行う。
【０１４９】
次に、現金管理センタサーバ４は、他の現金自動預払装置２に取り付けられている回収対象のカセットに対してＡデータを登録すると（Ｓ８６）、その後、交換許可の通知を他の自動預払装置２に送信する（Ｓ８７）。
【０１５０】
他の自動預払装置２は、交換許可の通知を受信すると、回収対象であるカセットのステータス情報を出力する（Ｓ８８）。警備員は、他の現金自動預払装置２の収納ボックス２１３から回収対象カセットを取り外し、空になった収納ボックス２１３に利用元の現金自動預払装置２Ａから回収したカセットを取り付け、カセット交換を行う（Ｓ８９）。
【０１５１】
警備員は、現金自動預払装置２のタッチパネル２０１を操作すると、他の現金自動預払装置２は、カセットの交換完了通知と、他の現金自動預払装置２の収納ボックス２１３に取り付けた新たなカセット（利用元の現金自動預払装置２Ａから回収したカセット）のＡデータとを現金管理センタサーバ４に送信する（Ｓ９０）。
【０１５２】
現金管理センタサーバ４は、カセットの交換完了通知と、他の現金自動預払装置２の収納ボックス２１３に取り付けた新たなカセットのＡデータとを受信すると、該カセットのＡデータを照合テーブル４１１に登録する（Ｓ９１）。
【０１５３】
また、現金管理センタサーバ４は、利用テーブル４１３を作成する（Ｓ９２）。現金管理センタサーバ４は、他の現金自動預払装置２のＡデータに基づいて、他の現金自動預払装置２の収納ボックス２１３に取り付けられたカセットが利用元の自動預払装置２Ａから回収してきたカセットであると判断するので、他の自動預払装置２が利用先の現金自動預払装置２Ｂであると判断して、利用先と利用元との対応付けを行う。その後、現金管理センタサーバ４は、交換完了の受領通知を現金自動預払装置２に送信する（Ｓ９３）。
【０１５４】
他の現金自動預払装置２は、交換完了の受領通知を受信すると、管理画面から通常のＡＴＭ取引画面に切り替え、ＡＴＭ取引を再開する（Ｓ９４）。
【０１５５】
他の現金自動預払装置２が、管理画面上に、交換完了の受領通知を警備員に表示すると、警備員は、収納ボックス２１３から取り外したカセットを回収する（Ｓ９５）。
【０１５６】
その後、警備員が回収したカセットを警備会社に持ち帰ると、回収したカセットに収納されていた現金を、現金計算機で計数し、計数額とカセットＩＤとを、Ｃデータとして計数管理センタデータベース３１に記憶する（Ｓ９６）。また、計数管理センタサーバ３は、Ｃデータを現金管理センタサーバ４に送信する（Ｓ９７）。
【０１５７】
現金管理センタサーバ４は、Ｃデータを受信すると、Ｃデータを照合テーブル４１１に登録し（Ｓ９８）この処理を終了する。
【０１５８】
このように、現金管理センタサーバ４は、所定の現金自動預払装置２に収納されたカセットが、他の現金自動預払装置２に利用することができるか否かを判断し、利用できると判断すると、所定の現金自動預払装置２に収納されたカセットを他の現金自動預払装置２に取り付け、利用元の現金自動預払装置２Ａと、利用先の現金自動預払装置２Ｂとを対応づけて、これらを１つのグループとして管理する。
【０１５９】
さらに、本第２実施形態において、全てのカセットを交換する場合には、１つのグループに属する利用元の現金自動預払装置２Ａ及び利用先の現金自動預払装置２Ｂのそれぞれが、ステップＳ４１乃至Ｓ４６を実行する。
【０１６０】
そして、現金管理センタサーバ４がグループに属するＡデータ、Ｂデータ及びＣデータに基づいて、それぞれの現金額の照合を行う（Ｓ４７）。なお、グループに属する最後の現金自動預払装置２がカセット交換を行った際に、現金管理センタサーバ４が、グループに属する現金自動預払装置２の現金額を照合する。
【０１６１】
具体的には、現金管理センタサーバ４は、第１実施形態と同様に、同一グループ内に属するカセットＩＤ及び現金額に基づいて、各現金自動預払装置２の、それぞれの現金額の総額を求め、さらに同一グループ内に属する現金額の総額の合計額（すなわち同一グループ内に属する全ての現金自動預払装置２の現金合計額）を求める。現金管理センタサーバ４は、Ｃデータについても同様に、同一グループに属するカセットＩＤ及び計数額に基づいて、各現金自動預払装置２の、それぞれの計数額の総額を求め、さらに同一グループ内に属する計数額の総額の合計額（すなわち同一グループ内に属する全ての自動預払装置２の計数合計額）を求める。
【０１６２】
また、現金管理センタサーバ４は、最後に回収された現金自動預払装置２におけるＢデータの現金理論最終額を設定する。そして、現金管理センタサーバ４は、Ｂデータについても同様に、同一グループに属する現金理論最終額の合計額（現金理論合計額）を求める。
【０１６３】
このように、現金管理センタサーバ４は、同一グループに属する現金自動預払装置２の現金合計額と、同一グループに属する現金自動預払装置２の現金理論額の合計額と、同一グループに属する現金自動預払装置２の計数合計額と、を照合し、照合結果が一致したと判断した場合には（Ｓ４７：ＹＥＳ）、ステップＳ４１に戻り、照合結果が一致しないと判断した場合には（Ｓ４７：ＮＯ）、不一致の調査を実行する（Ｓ４８）。
【０１６４】
なお、ステップ７４において、現金管理センタサーバ４は、現金自動預払装置２から回収されたカセットが、他の現金自動預払装置２に利用できないと判断した場合には（Ｓ７４：ＮＯ）、当該検討結果を現金自動預払装置２に通知し（Ｓ７５）、現金自動預払装置２は、当該カセットを他の現金自動預払装置２に利用することを中止する（Ｓ７６）。その後、利用中止となったカセットは、警備員によって回収される。
【０１６５】
本第２実施形態によれば、個別に回収したカセットを他の現金自動預払装置２に利用することができるので、警備員によって最終的に回収されるカセットの交換時期の間隔を従来に比して長く設定することができる。
【０１６６】
また、全てのカセットを交換する期間が到来した場合であっても、現金管理センタサーバ４がグループ単位で管理しているので、同一グループ内における現金自動預払装置２の現金額を管理し、照合するので、カセット内の現金額の不整合を管理することができる。
【０１６７】
なお、現金自動預払装置２、計数管理センタサーバ３及び現金管理センタサーバ４は、現金額を管理するとして説明をしたが、現金枚数を管理してもよく、結果として現金額を管理できれば、管理する現金の単位は、特に制限されない。
【産業上の利用可能性】
【０１６８】
本発明は、銀行等の金融機関の現金自動預払装置に幅広く適用することができる。
【符号の説明】
【０１６９】
１…現金管理システム、２…現金自動預払装置、３…計数管理センタサーバ、４…現金管理センタサーバ、５…管理系ネットワーク、２０…筐体、２０１…タッチパネルディスプレイ、２０２…テンキー、２０３…インターフォン、２０４…カード受付機構、２０５…明細票印字機構、２０６…現金出入機構、２０７…制御機構、２０８…現金収納機構、２０９…扉、２１１…カセット、２１２…出入口、２１３…収納ボックス、２１…記憶装置、２１０…カウンタテーブル、２２…ＡＴＭ制御部、２３…ユーザインターフェース部、２４…カード受付部、２５…通帳受付部、２６…第１カウンタ部、２７…第２カウンタ部、２８…カメラ部、２９…通話部、３１…計数管理センタデータベース、４１…現金管理センタデータベース（記憶部）、４１１…照合テーブル、４１１Ａ…Ａデータテーブル、４１１Ｂ…Ｂデータテーブル、４１１Ｃ…Ｃデータテーブル、４１２…調査テーブル（イベント情報）、４１３…利用テーブル（対応情報）。
【図１】
2012048678.tif 000003
【図２】
2012048678.tif 000004
【図３】
2012048678.tif 000005
【図４】
2012048678.tif 000006
【図５】
2012048678.tif 000007
【図６Ａ】
2012048678.tif 000008
【図６Ｂ】
2012048678.tif 000009
【図６Ｃ】
2012048678.tif 000010
【図７】
2012048678.tif 000011
【図８】
2012048678.tif 000012
【図９】
2012048678.tif 000013
【図１０】
2012048678.tif 000014
【図１１】
2012048678.tif 000015
【図１２】
2012048678.tif 000016
【図１３】
2012048678.tif 000017
【図１４】
2012048678.tif 000018
【図１５】
2012048678.tif 000019
【図１６】
2012048678.tif 000020
【図１７】
2012048678.tif 000021
【図１８】
2012048678.tif 000022
【図１９】
2012048678.tif 000023
【図２０】
2012048678.tif 000024
【図２１】
2012048678.tif 000025
【図２２】
2012048678.tif 000026
【図２３】
2012048678.tif 000027